(57)【要約】      （修正有）【課題】簡単に組み立て分解可能な立ち仕事用椅子を提供する。【解決手段】立ち仕事用椅子は、産業の生産ラインで立って作業する作業員、売り場で立って仕事をする従業員、消費者が立って食事をする場合、或いは他の定位置に立って仕事をする人員が使用する補助的な立ち仕事用椅子であって、地面に平置きされるペダル１と、接合部材Ａによりペダル１の後端の接合パイプ１０にそれぞれ並列配列されるように装設される２本の第一パイプ２と、接合部材Ａにより第一パイプ２の上端にそれぞれ並列配列されるように装設される２本の第二パイプ３と、２本の第二パイプ３の間に並列配列されるクッション４とを備える。【選択図】図２
0003218637.tif 000002
【実用新案登録請求の範囲】
【請求項１】
地面に平置きされるペダルと、
接合部材により前記ペダルの後端の接合パイプにそれぞれ並列配列されるように装設される２本の第一パイプと、
前記接合部材により前記第一パイプの上端にそれぞれ並列配列されるように装設される２本の第二パイプと、
２本の前記第二パイプの間に並列配列されるクッションと、を備えることを特徴とする立ち仕事用椅子。
【請求項２】
両側の前記第二パイプの上縁には直立するパイプの上段が内側に向けて湾曲されることにより横方向パイプがそれぞれ形成され、
両側の前記第二パイプの上縁の前記横方向パイプは対置するように直線的に配列され、
且つその外部には快適な弾性を有する前記クッションが並列配置されることを特徴とする請求項１に記載の立ち仕事用椅子。
【請求項３】
前記ペダルの後端の接合パイプに並列配列されるように装設される両側の前記第一パイプはそれぞれ前記横方向パイプの所定の位置に上に向けて湾曲されることにより縦方向パイプが形成され、
且つ前記第一パイプの前記横方向パイプと上に向けて湾曲されることにより形成される前記縦方向パイプとの夾角Ｃは９０度より小さいことを特徴とする請求項１に記載の立ち仕事用椅子。
【請求項４】
両側の前記第一パイプの間には接合用横棒が設置されることを特徴とする請求項１に記載の立ち仕事用椅子。
【請求項５】
前記接合部材により、
前記ペダルの後端の接合パイプと前記第一パイプが並列配設される箇所、
前記第一パイプと前記第二パイプが並列配設される箇所、
及び両側の前記第二パイプの対置する上縁の間に並列配設される箇所は、全てねじにより螺合されることを特徴とする請求項１に記載の立ち仕事用椅子。
【請求項６】
地面に平置きされるペダルと、
接合部材により前記ペダルの後端の接合パイプにそれぞれ並列配列されるように装設される２本の第一パイプと、
前記接合部材により前記第一パイプの上端にそれぞれ並列配列されるように装設される２本の第二パイプと、
２本の前記第二パイプの間に並列配列されるクッションと、を備え、
前記第二パイプは伸縮されることにより高さを調整可能な直列的に組み合わせられる少なくとも２節の伸縮パイプであることを特徴とする立ち仕事用椅子。
【請求項７】
伸縮調整可能な前記第二パイプの内部パイプの上縁にはそれぞれ直立するパイプの上段が内側に向けて湾曲されることにより横方向パイプが形成され、
両側の前記第二パイプの前記内部パイプの上縁の前記横方向パイプは対置するように直線的に配列され、
且つその外部には弾性を有する前記クッションが並列配置されることを特徴とする請求項６に記載の立ち仕事用椅子。
【請求項８】
前記ペダルの後端の接合パイプに並列配列されるように装設される両側の前記第一パイプは前記横方向パイプの所定の位置に上に向けて湾曲されることにより縦方向パイプがそれぞれ形成され、
且つ前記第一パイプの前記横方向パイプと上に向けて湾曲されることにより形成される前記縦方向パイプとの夾角Ｃは９０度より小さいことを特徴とする請求項６に記載の立ち仕事用椅子。
【請求項９】
両側の前記第一パイプの間には接合用横棒が設置されることを特徴とする請求項６に記載の立ち仕事用椅子。
【請求項１０】
前記接合部材により、
前記ペダルの後端の接合パイプと前記第一パイプが並列配設される箇所、
前記第一パイプと前記第二パイプが並列配設される箇所、
及び両側の前記第二パイプの上縁の対置する間に並列配設される箇所は、全てねじにより螺合されることを特徴とする請求項６に記載の立ち仕事用椅子。
【考案の詳細な説明】
【技術分野】
【０００１】
本考案は、椅子に関する。より詳しくは、産業の生産ラインで立って作業する作業員、売り場で立って仕事をする従業員（例えば、売り場のレジ係等）、消費者が立って食事をする場合、或いは他の定位置に立って仕事をする人員が使用する、補助的な立ち仕事用椅子（いわゆる「スタンディングチェア」）に関する。
【背景技術】
【０００２】
一般的な従来の立ち仕事用椅子の構造技術は、行動が不便な人が使用する車椅子により、立ち仕事用椅子を補助する設計となっている。
産業の生産ラインで立って作業する作業員、売り場で立って仕事をする従業員（例えば、売り場のレジ係等）、消費者が立って食事をする場合、或いは他の定位置に立って仕事をする人員が使用する補助的な立ち仕事用椅子は存在しない。
【考案の概要】
【考案が解決しようとする課題】
【０００３】
しかしながら、従来の椅子の製造業界では、長時間立つ必要がある使用者に腰を凭れかけさせて、使用者が立つのを補助する立ち仕事用椅子を生み出した。
前記立ち仕事用椅子の構造は、図１に示される従来の実施形態のように、地面に平置きされるペダルＤを備え、ペダルＤの後方の上板面には突起する座Ｄ１が設置され、前記座Ｄ１により高さが固定される２本の縦方向棒Ｄ２の底部が固定され、２本の斜めの支持棒Ｄ３により２本の縦方向棒Ｄ２の中段が支持され、２本の縦方向棒Ｄ２とペダルＤとの間の夾角を９０度の垂直角度とする。
２本の縦方向棒Ｄ２の間隔は上が広く下が狭い方式で斜め方向に直立し、且つ２本の縦方向棒Ｄ２の上端の間には使用者に腰を凭れ掛けさせるための背板Ｄ４が固定されるように装設される。
【０００４】
前記従来の立ち仕事用椅子構造には、改善が求められる以下の欠点が存在する。
（１）使用者に腰を凭れ掛けさせる背板は２本の縦方向棒に装設され、２本の縦方向棒の後中段は２本の斜めの支持棒により支持されて固定される。このため、２本の斜め方向の縦方向棒は人が凭れ掛けた際に快適な弾性緩衝を提供できず、使用者が不快に感じてしまうため、人間工学的な快適性の要求には応えられない。
（２）前記立ち仕事用椅子構造には装設及び分解の利便性がない。よって、体積が大きく、占拠する空間が大きく、製造業者にとっては、加工、製造、及び保管において空間を占領してしまい、且つ輸送コストも高くなる。
（３）前記立ち仕事用椅子構造は装設及び分解の利便性がない。よって、体積が大きく、占拠する空間が大きく、消費者にとっては、分解して体積を縮小させることができず、保管においては空間が占領されるため不便である。
（４）前記立ち仕事用椅子構造は加工が複雑であり、製造コストが高い。
よって、従来の立ち仕事用椅子の構造技術は改善が求められている。すなわち、実用性及び快適性を高め、製造、輸送、及び販売コストを低下させ、製造及び保管において空間が占拠される等の不便さ及び欠点を解決する必要がある。
【０００５】
そこで、本考案者は上記の欠点が改善可能と考え、鋭意検討を重ねた結果、合理的設計で上記の課題を効果的に改善する本考案の提案に到った。
【０００６】
本考案はこうした状況に鑑みてなされたものであり、その目的は、立ち仕事用椅子を提供することにある。
【課題を解決するための手段】
【０００７】
上述した課題を解決するという目的を達成するために考案された、本考案に係る立ち仕事用椅子の特徴は、地面に平置きされるペダルと、接合部材によりペダルの後端の接合パイプにそれぞれ並列配列されるように装設される２本の第一パイプと、接合部材により第一パイプの上端にそれぞれ並列配列されるように装設される２本の第二パイプと、２本の第二パイプの間に並列配列されるクッションと、を備えることである。
【０００８】
好ましくは、前記両側の第二パイプの上縁には直立するパイプの上段が内側に向けて湾曲されることにより横方向パイプがそれぞれ形成され、両側の第二パイプの上縁の横方向パイプは対置するように直線的に配列され、且つその外部には快適な弾性を有するクッションが並列配置される。
【０００９】
好ましくは、前記ペダルの後端の接合パイプに並列配列されるように装設される両側の第一パイプはそれぞれ横方向のパイプの所定の位置に上に向けて湾曲されることにより縦方向パイプが形成され、且つ前記第一パイプの横方向パイプと上に向けて湾曲されることにより形成される縦方向パイプとの夾角Ｃは９０度より小さい。
【００１０】
好ましくは、前記両側の第一パイプの間には接合用横棒が設置される。
【００１１】
好ましくは、前記接合部材により、ペダルの後端の接合パイプと第一パイプが並列配設される箇所、第一パイプと第二パイプが並列配設される箇所、及び両側の第二パイプの対置する上縁の間に並列配設される箇所は、全てねじにより螺合される。
【００１２】
さらに、前記立ち仕事用椅子の構造は装設が簡単である。
地面に平置きされるペダルと、接合部材によりペダルの後端の接合パイプにそれぞれ並列配列されるように装設される２本の第一パイプと、接合部材により第一パイプの上端にそれぞれ並列配列されるように装設される２本の第二パイプと、２本の第二パイプの間に並列配列されるクッションとを備える。
前記第二パイプは伸縮されることにより高さを調整可能な直列的に組み合わせられる少なくとも２節の伸縮パイプである。
【００１３】
好ましくは、伸縮調整可能な前記第二パイプの内部パイプの上縁にはそれぞれ直立するパイプの上段が内側に向けて湾曲されることにより横方向パイプが形成され、両側の第二パイプの内部パイプの上縁の横方向パイプは対置するように直線的に配列され、且つその外部には快適な弾性を有するクッションが並列配置される。
【考案の効果】
【００１４】
本考案によれば、以下の効果が得られる。
（１）特に産業の生産ラインで立って作業する作業員、売り場で立って仕事をする従業員（例えば、売り場のレジ係等）、消費者が立って食事をする場合、或いは他の定位置に立って仕事をする人が立つのを補助する立ち仕事用椅子を提供する。
（２）製造が容易であり、包装される際に体積が小さくなり、積載輸送コストも低くなり、経済効果が高い立ち仕事用椅子を提供する。
（３）使用者が簡単に分解して体積を縮小可能な立ち仕事用椅子を提供する。使用者にとっては、簡単に分解して体積を縮小できるようになるほか、使用しない場合の保管において空間を占拠しなくなる。
（４）使用が便利で快適な、長時間立って作業する人の身体の健康を効果的に保護する立ち仕事用椅子を提供する。
【図面の簡単な説明】
【００１５】
【図１】従来の立ち仕事用椅子を示す斜視図である。
【図２】本考案の第１実施形態に係る立ち仕事用椅子を示す斜視図である。
【図３】図２の側面図である。
【図４】図２の組合わせを示す斜視図である。
【図５】本考案の第２実施形態に係る立ち仕事用椅子を示す斜視図である。
【図６】図５の高さ調整を示す斜視図である。
【考案を実施するための形態】
【００１６】
以下、図面を参照して本考案に係る立ち仕事用椅子の実施形態について説明する。
尚、以下に説明する実施の形態は、実用新案登録請求の範囲に記載された本考案の内容を限定するものではない。また、以下に説明される構成の全てが、本考案の必須要件であるとは限らない。
【００１７】
（第１実施形態）
本考案の第１実施形態の立ち仕事用椅子は、地面に平置きされるペダル１と、接合部材Ａによりペダル１の後端の接合パイプ１０によりそれぞれ並列配列されるように装設される２本の第一パイプ２と、接合部材Ａにより第一パイプ２の上端にそれぞれ並列配列されるように装設される２本の第二パイプ３と、２本の第二パイプ３の間に並列配列されるクッション４とを備える。
接合部材Ａにより、ペダル１の後端の接合パイプ１０と第一パイプ２が並列配設される箇所、第一パイプ２と第二パイプ３が並列配設される箇所、及び両側の第二パイプ３の対置する上縁の間に並列配設される箇所は、全てねじＢにより螺合される。これにより、組み立て分解可能が簡単であり、素早く装設して固定可能となるという利点を有する（図２乃至図４参照）。
【００１８】
図２乃至図４に示されるように、両側の第二パイプ３の上縁には直立するパイプの上段が内側に向けて湾曲されることにより、横方向パイプ３０がそれぞれ形成され、両側の第二パイプ３の上縁の横方向パイプ３０は対置するように直線的に配列され、且つその外部には快適な弾性を有するクッション４が並列配置される。
ペダル１の後端の接合パイプ１０に並列配列されるように装設される両側の第一パイプ２は、横方向のパイプの所定の位置に上に向けて湾曲されることにより、縦方向パイプ２０がそれぞれ形成される。また、前記第一パイプ２の横方向パイプと上に向けて湾曲されることにより形成される縦方向パイプ２０との夾角Ｃは９０度より小さい。
両側の第一パイプ２の間には接合用横棒２１が更に設置される。
上に引っ張られる立ち仕事用椅子のクッション４全体の支持により、図３に示されるように、本実施形態は、前傾の支持強度及び人体が凭れ掛けた際の快適な弾性緩衝効果を有する。
【００１９】
（第２実施形態）
本考案の第２実施形態の構成を図５及び図６に示す。地面に平置きされるペダル１と、接合部材Ａによりペダル１の後端の接合パイプ１０にそれぞれ並列配列されるように装設される２本の第一パイプ２と、接合部材Ａにより第一パイプ２の上端にそれぞれ並列配列されるように装設される２本の第二パイプ３と、２本の第二パイプ３の間に並列配列されるクッション４とを備える（図５及び図６参照）。
接合部材Ａにより、ペダル１の後端の接合パイプ１０と第一パイプ２が並列配設される箇所、第一パイプ２と第二パイプ３が並列配設される箇所、及び両側の第二パイプ３の対置する上縁の間に並列配設される箇所は、全てねじＢにより螺合される。これにより組み立て分解可能が簡単であり、素早く装設して固定可能となるという利点を有する。
また、第一パイプ２の上端に並列配列されるように装設される第二パイプ３は伸縮されることにより高さを調整可能な少なくとも２節の直列的に組み合わせられる伸縮パイプである。第二パイプ３の高さが伸縮調整された後に固定部材５（例えば、ボルト）により固定され、異なる使用者のクッション４の使用要求に合わせて高さを調整可能となる。
【００２０】
図５及び図６に示されるように、両側の伸縮調整可能な第二パイプ３の内部パイプ３１の上縁には、直立するパイプの上段が内側に向けて湾曲されることにより、横方向パイプ３１０がそれぞれ形成され、両側の第二パイプ３の内部パイプ３１の上縁の横方向パイプ３１０は対置するように直線的に配列され、且つその外部には快適な弾性を有するクッション４が並列配置される。
ペダル１の後端の接合パイプ１０に並列配列されるように装設される両側の第一パイプ２は、横方向のパイプの所定の位置に上に向けて湾曲されることにより、縦方向パイプ２０がそれぞれ形成され、且つ前記第一パイプ２の横方向パイプと上に向けて湾曲されることにより形成される縦方向パイプ２０との夾角Ｃは９０度より小さい。
両側の第一パイプ２の間には接合用横棒２１が更に設置され、上に引っ張られる立ち仕事用椅子のクッション４の支持により、本実施形態は前傾の支持強度及び人体が凭れ掛けた際の快適な弾性緩衝効果を有する。
【００２１】
本考案に係る「立ち仕事用椅子」は、以下の実施効果を確実に達成する。
（１）産業の生産ラインで立って作業する作業員、売り場で立って仕事をする従業員（例えば、売り場のレジ係等）、消費者が立って食事をする場合、或いは他の定位置に立って仕事をする人に広く適用される、立つのを補助する立ち仕事用椅子を確実に提供する。
（２）製造が容易であり、包装される際に体積が小さくなり、積載輸送コストも低くなり、経済効果が高い立ち仕事用椅子を確実に提供する。
（３）使用者が簡単に分解して体積を縮小可能な立ち仕事用椅子を確実に提供する。使用者にとっては、簡単に分解して体積を縮小できるようになるほか、使用しない場合の保管において空間を占拠しなくなる。
（４）使用が便利で快適な、長時間立って作業する人の身体の健康を効果的に保護する立ち仕事用椅子を確実に提供する。
【００２２】
上述の実施形態は本考案の技術思想及び特徴を説明するためのものにすぎず、当該技術分野を熟知する者に本考案の内容を理解させると共に、これをもって実施させることを目的とするものであり、本考案の実用新案登録請求の範囲を限定するものではない。従って、本考案の精神を逸脱せずに行う、各種の同様の効果をもつ改良又は変更は、本実用新案登録請求の範囲に含まれる。
【符号の説明】
【００２３】
１      ペダル
１０    接合パイプ
２      第一パイプ
２０    縦方向パイプ
２１    接合用横棒
３      第二パイプ
３０    横方向パイプ
３１    内部パイプ
３１０  横方向パイプ
４      クッション
５      固定部材
Ａ      接合部材
Ｂ      ねじ
Ｃ      夾角
Ｄ      ペダル
Ｄ１    座
Ｄ２    縦方向棒
Ｄ３    支持棒
Ｄ４    背板
【図１】
0003218637.tif 000003
【図２】
0003218637.tif 000004
【図３】
0003218637.tif 000005
【図４】
0003218637.tif 000006
【図５】
0003218637.tif 000007
【図６】
0003218637.tif 000008
【手続補正書】
【提出日】平成30年8月22日(2018.8.22)
【手続補正１】
【補正対象書類名】実用新案登録請求の範囲
【補正対象項目名】請求項３
【補正方法】変更
【補正の内容】
【請求項３】
前記ペダルの後端の接合パイプに並列配列されるように装設される両側の前記第一パイプはそれぞれ前記横方向パイプの所定の位置に上に向けて湾曲されることにより縦方向パイプが形成され、
且つ前記第一パイプの横方向パイプと上に向けて湾曲されることにより形成される前記縦方向パイプとの夾角Ｃは９０度より小さいことを特徴とする請求項２に記載の立ち仕事用椅子。
【手続補正２】
【補正対象書類名】実用新案登録請求の範囲
【補正対象項目名】請求項７
【補正方法】変更
【補正の内容】
【請求項７】
伸縮調整可能な前記第二パイプの内部パイプの上縁にはそれぞれ直立するパイプの上段が内側に向けて湾曲されることにより横方向パイプが形成され、
両側の前記第二パイプの内部パイプの上縁の前記横方向パイプは対置するように直線的に配列され、
且つその外部には弾性を有する前記クッションが並列配置されることを特徴とする請求項６に記載の立ち仕事用椅子。
【手続補正３】
【補正対象書類名】実用新案登録請求の範囲
【補正対象項目名】請求項８
【補正方法】変更
【補正の内容】
【請求項８】
前記ペダルの後端の接合パイプに並列配列されるように装設される両側の前記第一パイプは前記横方向パイプの所定の位置に上に向けて湾曲されることにより縦方向パイプがそれぞれ形成され、
且つ前記第一パイプの前記横方向パイプと上に向けて湾曲されることにより形成される前記縦方向パイプとの夾角Ｃは９０度より小さいことを特徴とする請求項７に記載の立ち仕事用椅子。